【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
遊技者が操作可能な演出用操作手段と、
前記演出用操作手段の操作に基づく操作演出を実行させる演出実行手段と、を備え、
前記演出実行手段は、
操作演出を実行させる場合、前記演出用操作手段の操作が可能であることを示す指示報知を行い、前記演出用操作手段が継続的に操作されている場合に前記演出用操作手段が操作されたことに基づいた演出を実行させるように構成されており、
前記演出用操作手段が継続的に操作されている場合には、前記演出の実行タイミングが加速される遊技機。
【請求項２】
前記演出実行手段は、
前記操作演出を実行させる場合、前記指示報知を複数行い、前記演出用操作手段が操作されたことに基づいた演出として前記演出用操作手段が継続的に操作される毎に１つの指示報知を終了させ、前記指示報知を終了させた場合には新たな指示報知を行う請求項１に記載の遊技機。
【請求項３】
前記演出用操作手段の操作有効期間が設定され、
前記指示報知の態様は複数種類あり、
前記新たな指示報知の態様は、前記操作有効期間に応じて変化される請求項２に記載の遊技機。
【請求項４】
前記演出実行手段は、
前記演出用操作手段が継続的に操作されている場合に大当りを示唆する示唆演出、又は大当り遊技の種類を示唆する示唆演出をさらに実行させるように構成されており、
前記示唆演出は、前記演出用操作手段が継続的に操作されている場合に所定の単位時間の経過を契機に実行される請求項１〜請求項３のうちいずれか一項に記載の遊技機。
【請求項５】
前記演出実行手段は、
前記操作演出を実行させる場合、前記指示報知を複数行い、前記演出用操作手段が操作されたことに基づいた演出として前記演出用操作手段が継続的に操作される毎に１つの指示報知を終了させ、前記指示報知を終了させた場合には新たな指示報知を行い、
前記指示報知の態様は複数種類あり、
前記示唆演出の実行確率及び実行される前記示唆演出の種類のうち少なくとも何れか一方は、前記操作演出において終了する指示報知の態様に応じて、変更される請求項４に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、遊技者が操作可能な演出用操作手段と、前記演出用操作手段の操作に基づく操作演出を実行させる演出実行手段と、を備え、前記演出実行手段は、操作演出を実行させる場合、前記演出用操作手段の操作が可能であることを示す指示報知を行い、前記演出用操作手段が継続的に操作されている場合に前記演出用操作手段が操作されたことに基づいた演出を実行させるように構成されており、前記演出用操作手段が継続的に操作されている場合には、前記演出の実行タイミングが加速されることを要旨とする。
【手続補正３】
【補正対象書類名】明細書
【補正対象項目名】０００８
【補正方法】変更
【補正の内容】
【０００８】
請求項２に記載の発明は、請求項１に記載の発明において、前記演出実行手段は、前記操作演出を実行させる場合、前記指示報知を複数行い、前記演出用操作手段が操作されたことに基づいた演出として前記演出用操作手段が継続的に操作される毎に１つの指示報知を終了させ、前記指示報知を終了させた場合には新たな指示報知を行うことを要旨とする。
【手続補正４】
【補正対象書類名】明細書
【補正対象項目名】０００９
【補正方法】変更
【補正の内容】
【０００９】
請求項３に記載の発明は、請求項２に記載の発明において、前記演出用操作手段の操作有効期間が設定され、前記指示報知の態様は複数種類あり、前記新たな指示報知の態様は、前記操作有効期間に応じて変化されることを要旨とする。
請求項４に記載の発明は、請求項１〜請求項３のうちいずれか一項に記載の遊技機において、前記演出実行手段は、前記演出用操作手段が継続的に操作されている場合に大当りを示唆する示唆演出、又は大当り遊技の種類を示唆する示唆演出をさらに実行させるように構成されており、前記示唆演出は、前記演出用操作手段が継続的に操作されている場合に所定の単位時間の経過を契機に実行されることを要旨とする。
請求項５に記載の発明は、請求項４に記載の遊技機において、前記演出実行手段は、前記操作演出を実行させる場合、前記指示報知を複数行い、前記演出用操作手段が操作されたことに基づいた演出として前記演出用操作手段が継続的に操作される毎に１つの指示報知を終了させ、前記指示報知を終了させた場合には新たな指示報知を行い、前記指示報知の態様は複数種類あり、前記示唆演出の実行確率及び実行される前記示唆演出の種類のうち少なくとも何れか一方は、前記操作演出において終了する指示報知の態様に応じて、変更されることを要旨とする。
【手続補正５】
【補正対象書類名】明細書
【補正対象項目名】０３９７
【補正方法】変更
【補正の内容】
【０３９７】
（イ）前記演出実行手段は、操作有効期間の残り時間が予め決められた時間であるときに、指示画像を消去させた際、操作回数が少ない場合には、多い場合と比較して通常の表示態様よりも特別な表示態様の指示画像を新たな指示画像として決定しやすくなっている。
【手続補正６】
【補正対象書類名】明細書
【補正対象項目名】０３９８
【補正方法】変更
【補正の内容】
【０３９８】
（ロ）操作有効期間の残り時間が短くなったとき、通常の表示態様とは異なる特別な表示態様の指示画像を新たに表示しやすくなっている。
【手続補正７】
【補正対象書類名】明細書
【補正対象項目名】０３９９
【補正方法】変更
【補正の内容】
【０３９９】
（ハ）前記演出実行手段は、前記操作演出の開始時において、通常態様とは異なる特別な表示態様の指示画像を１以上表示させると共に、指示画像を消去させる際、表示されている指示画像の表示態様が全て通常態様である場合には、通常態様とは異なる特別な表示態様の指示画像を新たに表示させる。
【手続補正８】
【補正対象書類名】明細書
【補正対象項目名】０４００
【補正方法】変更
【補正の内容】
【０４００】
（ニ）前記演出実行手段は、通常態様とは異なる特別な表示態様の指示画像が次に消去させる指示画像である場合、演出用操作手段が予め決められた回数分、操作されたときにその特別な表示態様の指示画像を消去させる。
【手続補正９】
【補正対象書類名】明細書
【補正対象項目名】０４０１
【補正方法】変更
【補正の内容】
【０４０１】
（ホ）前記操作演出では、消去させる指示画像の表示態様に応じて異なる関連演出が行いうる。
（ヘ）前記操作演出では、消去させる指示画像の表示態様に応じた表示画像が表示される。
【手続補正１０】
【補正対象書類名】明細書
【補正対象項目名】０４０２
【補正方法】変更
【補正の内容】
【０４０２】
（ト）前記操作演出では、通常態様とは異なる特別な表示態様の指示画像の消去数に応じて、大当り期待度又は大当り遊技の種類が示唆される。
【手続補正１１】
【補正対象書類名】明細書
【補正対象項目名】０４０３
【補正方法】変更
【補正の内容】
【０４０３】
（チ）前記関連演出実行手段は、関連演出を実行させる際、予め決められた終了時間に達するまでに、関連演出を終了させるように構成されており、前記演出用操作手段が操作された時点において、実行させると決定した関連演出が、前記終了時間までに終了させることができない場合には、決定した関連演出を、終了時間内に終了させることができる演出時間を有する関連演出に変更して実行させる。